(57)【要約】【課題】施工が容易であり、断熱性に優れた床面を形成することができるフローリング構造を提供する。【解決手段】幅方向の断面が台形であり上面の幅が下面の幅よりも狭い第１のフローリング材１０と、幅方向の断面が台形であり上面の幅が下面の幅よりも広い第２のフローリング材２０とを、側面同士を当接させて下地材１００上に交互に設置する。【選択図】図１
2015052254.tif 000002
【特許請求の範囲】
【請求項１】
幅方向の断面が台形であり上面の幅が下面の幅よりも狭い第１のフローリング材と、幅方向の断面が台形であり上面の幅が下面の幅よりも広い第２のフローリング材とを、側面同士を当接させて下地材上に交互に設置してなることを特徴とするフローリング構造。
【請求項２】
請求項１に記載のフローリング構造において、
前記第１のフローリング材及び前記第２のフローリング材は、幅方向の断面が等脚台形であることを特徴とするフローリング構造。
【請求項３】
請求項１又は２に記載のフローリング構造において、
前記第１のフローリング材と前記第２のフローリング材とは、上面の幅が同一であることを特徴とするフローリング構造。
【請求項４】
請求項１〜３の何れか一項に記載のフローリング構造において、
前記第１のフローリング材の下面及び前記第２のフローリング材の上面の幅方向両端部には、面取り部が形成されており、
且つ前記第１のフローリング材の面取り部の大きさが、前記第２のフローリング材の面取り部よりも大きいことを特徴とするフローリング構造。
【請求項５】
幅方向の断面が台形であり上面の幅が下面の幅よりも狭い第１のフローリング材と、幅方向の断面が台形であり上面の幅が下面の幅よりも広い第２のフローリング材とを、側面同士を当接させて下地材上に交互に設置してなるフローリング構造であって、
前記第１のフローリング材及び前記第２のフローリング材は、木目方向が横目方向である第１の桐板の両面に木目方向が縦目方向である第２の桐板を張り合わせた三層クロス張り構造を有することを特徴とするフローリング構造。
【請求項６】
請求項５に記載のフローリング構造において、
前記第１の桐板の厚さが、前記第２の桐板の厚さよりも厚いことを特徴とするフローリング構造。
【発明の詳細な説明】
【技術分野】
【０００１】
本発明は、木造住宅等の床面に適用され、複数枚のフローリング材が並設されてなるフローリング構造に関する。
【背景技術】
【０００２】
従来、木造住宅等の床面は、例えば、複数枚のフローリング材を並設することによって形成されている。このフローリング材は、一般的に、雄実と雌実とが設けられており、これら雄実と雌実とを係合させることで、隣接するフローリング材と連結されるようになっている（例えば、特許文献１参照）。
【０００３】
また、このようなフローリング材は、一般的に、厚さが９ｍｍ〜１２ｍｍ程度と比較的薄く形成されている。このため、フローリング材によって床下からの冷気を十分に遮断することが難しかった。そこで、フローリング材の下側に断熱材等を設けることで床下からの冷気を遮断していた。
【０００４】
またフローリング材は、一般的に、９０ｍｍ〜１２０ｍｍ程度の比較的狭い幅に形成されている。フローリング材が比較的狭い幅で形成される理由の一つとして、反りの発生が挙げられる。すなわち、フローリング材の幅を比較的広くした場合、大気中の水分等に起因した反りが発生し易くなる。このようなフローリング材の反りは、水分が集まった部分が膨張することによって生じる。特に、フローリング材の下端側には水分が集まり易く、結果として、フローリング材には室内側を凹とする変形が生じ易い。
【先行技術文献】
【特許文献】
【０００５】
【特許文献１】特開平０５−３３１９９４号公報
【発明の概要】
【発明が解決しようとする課題】
【０００６】
上述のようにフローリング材は、一般的に、比較的薄く且つ狭い幅で形成されている。このため、断熱性を備えた床面を形成する際には、断熱材等の下地が必要となり、また多くの枚数のフローリング材が必要となる。したがって、床面の施工期間が長くなってしまい、コストが増加するという問題がある。
【０００７】
本発明は、このような事情に鑑みてなされたものであり、施工が容易であり、断熱性に優れた床面を形成することができるフローリング構造を提供することを目的とする。
【課題を解決するための手段】
【０００８】
上記課題を解決する本発明の第１の態様は、幅方向の断面が台形であり上面の幅が下面の幅よりも狭い第１のフローリング材と、幅方向の断面が台形であり上面の幅が下面の幅よりも広い第２のフローリング材とを、側面同士を当接させて下地材上に交互に設置してなることを特徴とするフローリング構造にある。
【０００９】
本発明の第２の態様は、第１の態様のフローリング構造において、前記第１のフローリング材及び前記第２のフローリング材は、幅方向の断面が等脚台形であることを特徴とするフローリング構造にある。
【００１０】
本発明の第３の態様は、第１又は２の態様のフローリング構造において、前記第１のフローリング材と前記第２のフローリング材とは、上面の幅が同一であることを特徴とするフローリング構造にある。
【００１１】
本発明の第４の態様は、第１〜３の何れか一つの態様のフローリング構造において、前記第１のフローリング材の下面及び前記第２のフローリング材の上面の幅方向両端部には、面取り部が形成されており、且つ前記第１のフローリング材の面取り部の大きさが、前記第２のフローリング材の面取り部よりも大きいことを特徴とするフローリング構造にある。
【００１２】
本発明の第５の態様は、幅方向の断面が台形であり上面の幅が下面の幅よりも狭い第１のフローリング材と、幅方向の断面が台形であり上面の幅が下面の幅よりも広い第２のフローリング材とを、側面同士を当接させて下地材上に交互に設置してなるフローリング構造であって、前記第１のフローリング材及び前記第２のフローリング材は、木目方向が横目方向である第１の桐板の両面に木目方向が縦目方向である第２の桐板を張り合わせた三層クロス張り構造を有することを特徴とするフローリング構造にある。
【００１３】
本発明の第６の態様は、第５の態様のフローリング構造において、前記第１の桐板の厚さが、前記第２の桐板の厚さよりも厚いことを特徴とするフローリング構造にある。
【発明の効果】
【００１４】
かかる本発明のフローリング構造によれば、施工期間を大幅に短縮することができる。また第１のフローリング材の下面の両端部に面取り部を設けることで、床面を形成するフローリング材の反りの発生を抑制することができる。
【図面の簡単な説明】
【００１５】
【図１】本発明の一実施形態に係るフローリング構造を示す斜視図である。
【図２】本発明の一実施形態に係るフローリング構造を示す断面図である。
【図３】本発明の一実施形態に係る第１のフローリング材を示す断面図である。
【図４】本発明の一実施形態に係る第２のフローリング材を示す断面図である。
【図５】本発明の一実施形態に係る床面の施工手順を示す断面図である。
【図６】本発明に係るフローリング構造の他の例を示す断面図である。
【発明を実施するための形態】
【００１６】
以下、本発明の実施形態について、図面を参照して詳細に説明する。
【００１７】
図１及び図２に示すように、本実施形態に係るフローリング構造を採用した床面（フローリング床）１は、幅方向の断面が台形である第１のフローリング材１０及び第２のフローリング材２０が、その側面同士を当接させた状態で下地材１００上に交互に設置されてなる。
【００１８】
第１のフローリング材１０は、図３に示すように、下地材１００上に設置された状態における上面１１の幅Ｗ１が下面１２の幅Ｗ２よりも狭くなっている。一方、第２のフローリング材２０は、図４に示すように、下地材１００上に設置された状態における上面２１の幅Ｗ３が下面２２の幅Ｗ４よりも広くなっている。本実施形態では、第１のフローリング材１０の上面１１の幅Ｗ１と第２のフローリング材２０の上面２１の幅Ｗ３とが一致するように形成されている。本実施形態に係る第１のフローリング材１０は、上面１１の幅Ｗ１が４００ｍｍ、下面１２の幅Ｗ２が４２０ｍｍとなるように形成され、第２のフローリング材２０は、上面２１の幅Ｗ３が４００ｍｍ、下面２２の幅Ｗ４が３８０ｍｍとなるように形成されている。勿論、第１のフローリング材１０及び第２のフローリング材２０の幅は、特に限定されるものではない。第１のフローリング材１０及び第２のフローリング材２０は、例えば、上記寸法の半分程度の幅で形成されていてもよい。
【００１９】
また第１のフローリング材１０及び第２のフローリング材２０は、下地材１００上に配置した際に、側面同士が当接するように形成されている。すなわち、第１のフローリング材１０の一方の側面１３の下面１２に対する傾斜角度θ１と第２のフローリング材２０の一方の側面２３の上面２１に対する傾斜角度θ２とが一致し、且つ第１のフローリング材１０の他方の側面１４の下面１２に対する傾斜角度θ３と第２のフローリング材２０の他方の側面２４の上面２１に対する傾斜角度θ４とが一致している（図３、図４参照）。例えば、本実施形態では、第１のフローリング材１０及び第２のフローリング材２０は、幅方向の断面が等脚台形となるように形成されており、上記傾斜角度θ１〜θ４は全て一致している。
【００２０】
さらに第１のフローリング材１０及び第２のフローリング材２０は、木目方向が横目方向である第１の桐板１５の両面に木目方向が縦目方向（厚さ方向）である第２の桐板１６，１７を張り合わせた三層クロス張り構造を有する。これら第１の桐板１５及び第２の桐板１６，１７の厚さは、特に限定されないが、第１の桐板１５の厚さは、第２の桐板１６，１７の厚さよりも厚いことが好ましい。例えば、本実施形態では、第１の桐板１５の厚さを１７ｍｍとし、第２の桐板１６，１７の厚さをそれぞれ９ｍｍとし、第１のフローリング材１０及び第２のフローリング材２０の厚さを３５ｍｍとしている。
【００２１】
木造住宅等の床面１を、このような第１のフローリング材１０と第２のフローリング材２０とで形成することで、木造住宅等における床面１の施工期間を大幅に短縮することができる。例えば、上述のように第１のフローリング材１０及び第２のフローリング材２０は、従来のフローリング材に比べて幅が広く形成されているため、使用枚数が少なくなる。さらに第１のフローリング材１０と第２のフローリング材２０とは、桐板で構成され且つそれ自体が比較的厚く形成されているため、断熱性に優れる。したがって、第１のフローリング材１０及び第２のフローリング材２０として、断熱材の設置が不要となる。このように使用する部材の点数が大幅に減少するため、比較的短い施工期間で木造住宅等の床面１を形成することができる。
【００２２】
また本発明に係るフローリング構造では、図５に示すように、第１のフローリング材１０を下地材１００上に所定間隔で配置した後、これら第１のフローリング材１０の間に第２のフローリング材２０を挿入して固定することで、床面１を形成することができる。つまり第１のフローリング材１０の間に挿入した第２のフローリング材２０のみを両面接着剤等で固定することで、第２のフローリング材２０と共に第１のフローリング材１０を下地材１００に固定して、床面１を形成することができる。これにより、施工期間をさらに短縮することができる。
【００２３】
また、第１のフローリング材１０の下面１２及び第２のフローリング材２０の上面２１の幅方向両端部には、それぞれ面取り部１８，２８が形成されている（図２参照）。第１のフローリング材１０の面取り部１８は、第２のフローリング材２０の面取り部２８よりも大きく形成されている。本実施形態では、第１のフローリング材１０の面取り部１８は、第２の桐板１７と共に第１の桐板１５の一部を除去することによって形成されている。つまり第１のフローリング材１０と第２のフローリング材２０との間には、第１のフローリング材１０に形成された面取り部１８によって、空間部４０が画成されている。
【００２４】
このように第１のフローリング材１０の下面１２の幅方向両端部に、第２のフローリング材２０の面取り部２８よりも大きい面取り部１８が形成されていることで、すなわち第１のフローリング材１０と第２のフローリング材２０との間に空間部４０が画成されていることで、第１のフローリング材１０の反りの発生、ひいては床面（フローリング床）１の反りの発生を抑制することができる。上述のように第１のフローリング材１０は、上面１１の幅Ｗ１よりも下面１２の幅Ｗ２が広くなっているため、下面１２側における反りが、第２のフローリング材２０に比べて発生し易い。しかしながら、第１のフローリング材１０に面取り部１８が設けられていることで、第１のフローリング材１０の反りの発生を効果的に抑制することができる。結果として、床面（フローリング床）１全体の反りの発生を抑制することができる。
【００２５】
さらに本実施形態では、上述のように第１の桐板１５の厚さが、第２の桐板１６，１７の厚さよりも厚くなっている。これにより、第１のフローリング材１０及び第２のフローリング材２０の反りをより効果的に抑制することができる。
【００２６】
以上、本発明の実施形態について説明したが、本発明は、上述の実施形態に限定されるものではなく、発明の趣旨を逸脱しない範囲で、適宜変更が可能なものである。
【００２７】
例えば、上述の実施形態では、第１のフローリング材１０及び第２のフローリング材２０は、幅方向の断面が等脚台形となるように形成されていたが、これら第１のフローリング材１０及び第２のフローリング材２０の断面形状は台形であればよく、等脚台形に限定されない。例えば、図６に示すように、第１のフローリング材１０の一方の側面の傾斜角度θ１と第２のフローリング材２０の一方の側面の傾斜角度θ２とが一致し、且つ第１のフローリング材１０の他方の側面の傾斜角度θ３と第２のフローリング材２０の他方の側面の傾斜角度θ４とが一致していれば、傾斜角度θ１，θ２と、傾斜角度θ３，θ４とは一致していなくてもよい。
【００２８】
また上述の実施形態では、第１のフローリング材１０及び第２のフローリング材２０の材料として桐材を例示したが、これら第１のフローリング材１０及び第２のフローリング材２０の材料は、特に限定されるものではない。
【符号の説明】
【００２９】
１  床面（フローリング）
１０  第１のフローリング材
１５  第１の桐板
１６，１７  第２の桐板
１８，２８  面取り部
２０  第２のフローリング材
４０  空間部
１００  下地材
【図１】
2015052254.tif 000003
【図２】
2015052254.tif 000004
【図３】
2015052254.tif 000005
【図４】
2015052254.tif 000006
【図５】
2015052254.tif 000007
【図６】
2015052254.tif 000008